(57)【要約】【課題】従来、照合結果が良い人、悪い人に対して、同じアクセス権限しか与えられないという課題があった。【解決手段】個人のＩＤ番号を入力するテンキー１３と、前記個人の指紋画像を読み取る指紋センサ１２と、ＩＤ番号毎に、登録モード時の指紋の特徴点、及び指紋の一致の程度を表す一致率から構成されている登録個人データベース１４と、前記一致率に応じて照合結果の程度を表す照合指標を記憶する照合指標テーブル１５と、入力した個人のＩＤ番号が前記登録個人データベースに有る場合には前記登録個人データベースから前記ＩＤ番号に対応する一致率を取得し、前記照合指標テーブルを参照して前記一致率に応じた照合指標を取得し、前記照合指標に応じてアクセス権限を定め、前記読み取った指紋画像から特徴点を抽出し前記登録個人データベースから取得した特徴点と照合して前記登録個人データベースの一致率を更新するコントローラ１１とを設けた。【選択図】        図１
2005004253.tif 000002
【特許請求の範囲】
【請求項１】
個人のＩＤ番号を入力するためのテンキーと、
前記個人の指紋画像を読み取るための指紋センサと、
ＩＤ番号毎に、登録モード時の指紋の特徴点、及び指紋の一致の程度を表す一致率から構成されている登録個人データベースと、
前記一致率に応じて照合結果の程度を表す照合指標を記憶する照合指標テーブルと、
前記テンキーにより入力した個人のＩＤ番号が前記登録個人データベースに有る場合には前記登録個人データベースから前記ＩＤ番号に対応する一致率を取得し、前記照合指標テーブルを参照して前記取得した一致率に応じた照合指標を取得し、前記取得した照合指標に応じてアクセス権限を定めるとともに、前記指紋センサにより読み取った指紋画像から特徴点を抽出し前記登録個人データベースから取得した特徴点と照合して前記登録個人データベースの一致率を更新するコントローラと
を備えたことを特徴とする個人識別システム。
【請求項２】
前記登録個人データベースに記憶されている一致率は、照合時の直近複数個のデータから構成され、
前記一致率の更新は、照合結果がＯＫである場合に最も古いデータを消去し最も新しいデータを記憶する
ことを特徴とする請求項１記載の個人識別システム。
【請求項３】
個人のＩＤ番号を入力するためのテンキーと、
前記個人の指紋画像を読み取るための指紋センサと、
ＩＤ番号毎に別システムの認証情報から構成されている登録個人データベースと、
前記認証情報に応じて照合結果の程度を表す照合指標を記憶する照合指標テーブルと、
指紋の照合処理を行う別システムとネットワークを通じて通信を行うための通信装置と、
前記テンキーにより入力した個人のＩＤ番号が前記登録個人データベースに有る場合には前記登録個人データベースから前記ＩＤ番号に対応する認証情報を取得し、前記照合指標テーブルを参照して前記取得した認証情報に応じた照合指標を取得し、前記取得した照合指標に応じてアクセス権限を定めるとともに、前記指紋センサにより読み取った指紋画像から特徴点を抽出して前記通信装置により前記別システムへ送信し、前記別システムから送られてきた照合結果に応じた認証情報で前記登録個人データベースの認証情報を更新するコントローラと
を備えたことを特徴とする個人識別システム。
【請求項４】
前記コントローラは、前記照合指標が高い場合には、前記アクセス権限を高く設定する
ことを特徴とする請求項１又は３記載の個人識別システム。
【発明の詳細な説明】
【０００１】
【発明の属する技術分野】
この発明は、指紋などの照合結果の程度に応じて、また、別システムの認証情報に応じてアクセス権限を変える個人識別システムに関するものである。
【０００２】
【従来の技術】
従来は、個人端末や携帯電話、企業内イントラネットの各個人端末、金融機関、認証局装置にそれぞれ備えられた指紋読み取り装置で読み取った各ネットユーザの指紋画像を認証局装置に登録し、端末使用者の限定やネット取引での本人照合に伴う各対応端末からの認証依頼に応じて該端末の指紋読み取り装置で読み取られて認証局装置に送られてくる認証すべき指紋画像が、前記登録された指紋画像と照合されてその同一性が判定され、認証ＯＫ／ＮＧの判定結果が前記認証依頼元の端末へ通知されて、端末使用の可／不可処理やネット取引の成立／不成立処理がなされる（例えば、特許文献１参照）。
【０００３】
【特許文献１】
特開２００１−３１２４７６号公報（第１頁、図１）
【０００４】
【発明が解決しようとする課題】
上述したような従来のシステムでは、別システムで認証する対象は個人であり、認証がＯＫであれば、その別システムにおけるサービスを享受できる。つまり、複数のシステムで認証ＯＫであっても、例えば通行管理システムにおいて、特定の扉などのアクセス権限を変える様な付加価値の高いサービスを実現することができないという問題点があった。
【０００５】
また、従来の個人識別システムにおいては、個人照合の結果に応じて、例えば扉の通行可否を決定している。このため、照合結果が良い（登録時と照合時の特徴点数の一致度が多い）人に対しても、あるいは照合結果が悪い（登録時と照合時の特徴点数の一致度が少ない）人に対しても、同じアクセス権限しか与えられないという問題点があった。
【０００６】
この発明は、上述のような課題を解決するためになされたもので、その目的は、照合結果の程度に応じて、また、別システムの認証情報に応じてアクセス権限を変えることができる個人識別システムを得るものである。
【０００７】
【課題を解決するための手段】
この発明に係る個人識別システムは、個人のＩＤ番号を入力するためのテンキーと、前記個人の指紋画像を読み取るための指紋センサと、ＩＤ番号毎に、登録モード時の指紋の特徴点、及び指紋の一致の程度を表す一致率から構成されている登録個人データベースと、前記一致率に応じて照合結果の程度を表す照合指標を記憶する照合指標テーブルと、前記テンキーにより入力した個人のＩＤ番号が前記登録個人データベースに有る場合には前記登録個人データベースから前記ＩＤ番号に対応する一致率を取得し、前記照合指標テーブルを参照して前記取得した一致率に応じた照合指標を取得し、前記取得した照合指標に応じてアクセス権限を定めるとともに、前記指紋センサにより読み取った指紋画像から特徴点を抽出し前記登録個人データベースから取得した特徴点と照合して前記登録個人データベースの一致率を更新するコントローラとを設けたものである。
【０００８】
【発明の実施の形態】
実施の形態１．
この発明の実施の形態１に係る個人識別システムについて図面を参照しながら説明する。図１は、この発明の実施の形態１に係る個人識別システムの構成を示す図である。なお、各図中、同一符号は同一又は相当部分を示す。
【０００９】
図１において、個人識別システム１は、照合結果の程度を表す照合指標に応じてアクセス権限を定めるコントローラ１１と、個人の指紋画像を読み取るための指紋センサ１２と、個人のＩＤ番号を入力するためのテンキー１３と、ＩＤ番号毎に、登録モード時の指紋の特徴点、及び指紋の一致の程度を表す一致率から構成されている登録個人データベース１４と、一致率に応じて照合指標を記憶する照合指標テーブル１５とを備える。
【００１０】
図２は、この発明の実施の形態１に係る個人識別システムの登録個人データベースの構成を示す図である。
【００１１】
図２において、登録個人データベース１４は、「ＩＤ番号」と、「特徴点」と、「一致率」等から構成されている。また、「一致率」は、「データ１」、「データ２」、「データ３」、及び「平均値」から構成されている。
【００１２】
図３は、この発明の実施の形態１に係る個人識別システムの照合指標テーブルの構成を示す図である。
【００１３】
図３において、照合指標テーブル１５には、「照合指標」毎に、照合時の特徴点の「一致率Ａの範囲」と、その場合の「処理」を含めて、予め記憶させておく。
【００１４】
つぎに、この実施の形態１に係る個人識別システムの動作について図面を参照しながら説明する。
【００１５】
図４は、この発明の実施の形態１に係る個人識別システムの動作を示すフローチャートである。
【００１６】
まず、個人の登録時には、コントローラ１１は、「登録モード」で動作し、テンキー１３により個人毎のＩＤ番号を入力する。また、指紋センサ１２に乗せられた登録する指紋の指の指紋画像を読み取る。
【００１７】
次に、コントローラ１１は、指紋センサ１２により読み取った指紋画像から該当指紋の端点や分岐点などの特徴点を抽出する。その後、テンキー１３により入力したＩＤ番号と共に、抽出した指紋の特徴点を特徴点データとして、登録個人データベース１４に記憶する。
【００１８】
つづいて、個人の照合時には、ステップ１０１において、コントローラ１１は、「照合モード」で動作し、テンキー１３により個人毎のＩＤ番号を入力する。
【００１９】
次に、ステップ１０２において、入力したＩＤ番号が登録個人データベース１４に有るかどうかを判断する。入力したＩＤ番号が登録個人データベース１４に有る場合は次のステップ１０３へ進み、無い場合には本処理を終了する。
【００２０】
次に、ステップ１０３において、当該ＩＤ番号に対応する一致率データを取得する。すなわち、登録個人データベース１４から一致率の平均値データを取得する。
【００２１】
次に、ステップ１０４において、当該個人の指紋画像を取得する。すなわち、指紋センサ１２に乗せられた指の指紋画像を読み取る。
【００２２】
次に、ステップ１０５において、照合指標がレベル２以上かどうかを判断する。照合指標テーブル１５を参照して、取得した一致率（平均値）データが照合指標のどのレベルに該当するのかを判定し、照合指標がレベル２以上の場合はステップ１１１へ進み、レベル２未満の場合には通常アクセスとして次のステップ１０６へ進む。
【００２３】
次に、ステップ１０６において、取得した指紋画像から特徴点を抽出する。すなわち、指紋センサ１２により読み取った指紋画像から該当指紋の端点や分岐点などの特徴点を抽出する。
【００２４】
次に、ステップ１０７において、ステップ１０６で取得した特徴点と、登録個人データベース１４に記憶している特徴点を比較し、その照合処理を行う。すなわち、ここでは、両者の一致率を求める。例えば、一致率は、全体の特徴点数に対する両者の一致した数の割合とする。
一致率＝一致した数／全体の特徴点数
【００２５】
次に、ステップ１０８において、照合結果がＯＫかどうかを判断する。照合結果がＯＫの場合は次のステップ１０９へ進み、ＮＧの場合には本処理を終了する。すなわち、照合指標テーブル１５を参照して、求めた一致率が３０％未満の場合は、照合失敗（ＮＧ）と判断して処理を終了する。一方、一致率が３０％以上の場合には、照合結果ＯＫと判断する。
【００２６】
次に、ステップ１０９において、コントローラ１１は、鍵制御装置（図示しない）により該当の扉を解錠する。
【００２７】
次に、ステップ１１０において、登録個人データベース１４内の一致率データを更新する。一致率データの最も古いデータを消去して最新のデータを記録し、一致率データの更新を行う。照合時の直近３回分のデータをサイクリックに記憶し、例えばそれらの平均値を一致率データとして記録する。そして、本処理を終了する。
【００２８】
ステップ１１１において、コントローラ１１は、簡易アクセス（あるいは特別アクセス）処理として、照合処理の前に、鍵制御装置（図示しない）により該当の扉を解錠する。
【００２９】
次に、ステップ１１２において、取得した指紋画像から特徴点を抽出する。すなわち、指紋センサ１２により読み取った指紋画像から該当指紋の端点や分岐点などの特徴点を抽出する。
【００３０】
次に、ステップ１１３において、ステップ１１２で取得した特徴点と、登録個人データベース１４に記憶している特徴点を比較し、その照合処理を行う。すなわち、ここでは、両者の一致率を求める。例えば、一致率は、全体の特徴点数に対する両者の一致した数の割合とする。
一致率＝一致した数／全体の特徴点数
【００３１】
次に、ステップ１１４において、照合結果がＯＫかどうかを判断する。照合結果がＯＫの場合はステップ１１０へ進み、ＮＧの場合にはステップ１１５へ進む。すなわち、照合指標テーブル１５を参照して、求めた一致率が３０％未満の場合は、照合失敗（ＮＧ）と判断して処理を終了する。一方、一致率が３０％以上の場合には、照合結果ＯＫと判断する。
【００３２】
次に、ステップ１１５において、扉の解錠処理が終了しているため、別途アラーム処理（扉で、ブザー鳴動など）などを行う。そして、本処理を終了する。この場合は、照合結果ＮＧであるため、一致率データの更新は行わない。
【００３３】
なお、ステップ１０５において、登録モードの登録処理後の初回の照合モード場合には、登録個人データベース１４における一致率データは記録されていないため、照合指標をレベル０として、ステップ１０６の特徴点抽出処理などの通常照合処理を行う。
【００３４】
また、照合指標がレベル２以上の場合でも、上述したように、解錠処理を行った後に、特徴点の抽出以降の処理を行っているが、照合した本人は扉が解錠したことで入室可能となる。その後、コントローラ１１内の処理だけで、照合処理までを行った後、一致率データの更新までを、アクセス動作とは別に処理する。
【００３５】
図４に示すフローチャートでは、照合指標がレベル２以上の場合のみを示したが、レベルを細かく分け、レベル２以上３以下の場合は、簡易アクセスを実施する。さらに、レベル３以上の場合には、特別な部屋への入室などのサービスを行う様に、照合指標テーブル１５を設定しても良い。
【００３６】
すなわち、入退室時などで個人を識別するために、指紋などのバイオメトリック技術を利用する場合、その照合結果が良好かどうかを表す指標（指紋の端点や分岐点などの特徴点が、登録時と照合時で一致するかどうかを判断し、その一致した数または割合（＝一致した特徴点数／全体の特徴点数）の善し悪し）を定め、照合の度に直近の一定回数分の指標を、個人別に識別システム、または立入部屋の識別装置単位で記憶しておく。照合指標に応じて、部屋への通行などアクセス権限を定める。例えば、照合結果が良好であった人に対しては、部屋のアクセス権限を高くするなど、サービスを良くした付加価値の高い個人識別システムを得る。あるいは、照合結果が良好であった人に対しては、簡単に部屋ヘアクセスできる（例えば、照合処理を最後まで行わないとか、暗証番号だけで照合ＯＫとするなど）様にし、利便性の良い個人識別システムを得る。
【００３７】
実施の形態２．
上記の実施の形態１では、個人識別システム内の照合結果の一致率でアクセスサービスを向上する例を説明したが、この実施の形態２では、別システムとの認証処理により、アクセスサービスを向上するものである。
【００３８】
この発明の実施の形態２に係る個人識別システムについて図面を参照しながら説明する。図５は、この発明の実施の形態２に係る個人識別システムと別システムが接続された構成を示す図である。
【００３９】
図５において、電話回線やインターネットなどのネットワーク４を通じて個人識別システム１と、免許証更新所２と、役所３とが接続されている。
【００４０】
個人識別システム１は、上記実施の形態１と同様に、図示していないが、コントローラ１１と、指紋センサ１２と、テンキー１３と、登録個人データベース１４Ａと、照合指標テーブル１５Ａとを備え、さらに、通信装置１６を備える。また、免許証更新所２は、指紋照合装置２１と、通信装置２２と、記憶装置に記憶されている認証情報２３とを備える。さらに、役所３は、同様に、指紋照合装置３１と、通信装置３２と、記憶装置に記憶されている認証情報３３とを備える。なお、指紋照合装置２１、３１は、コントローラ、指紋センサ、テンキー、登録個人データベース等から構成されている。
【００４１】
図６は、この発明の実施の形態２に係る個人識別システムの照合指標テーブルの構成を示す図である。
【００４２】
図６において、照合指標テーブル１５Ａには、「照合指標」毎に、認証された「別システム」と、その場合の「処理」を含めて、予め記憶させておく。
【００４３】
図７は、この発明の実施の形態２に係る個人識別システムの認証情報の構成を示す図である。
【００４４】
この認証情報には、指紋情報の登録が、役所における住民票の登録時に行われたことと、個人識別システムを認識するための電話番号なども含んでいる。登録個人データベース１４Ａは、「ＩＤ番号」毎に、「認証情報」等から構成されている。
【００４５】
つぎに、この実施の形態２に係る個人識別システムの動作について図面を参照しながら説明する。
【００４６】
基本的な動作は、上記の実施の形態１と同様である。登録モード時の処理と照合処理を別システムで行なう。
【００４７】
図５に示すように、個人識別システム１と、この個人識別システム１とは別システムである免許証更新所２や役所３とは、電話回線やインターネットなどのネットワーク４を通じて通信装置１６、２２、３２間で結ぶ。別システムにおいても指紋照合装置２１、３１を設置し、免許更新時や役所における住民票届け出時に、指紋情報を登録する。このとき、個人識別システムを認識するための電話番号なども含めた認証情報２３、３３を付加して登録する。
【００４８】
役所３で住民票を登録し、同時に指紋（特徴点）も登録した後、個人識別システム１では、指紋の照合を役所３で登録済みの指紋に対して実行する。役所３の登録個人データベースには、ＩＤ番号毎に特徴点データが登録される。このとき役所３では、個人識別システム１の電話番号を特定するなど、なりすまし対策を行う。個人識別システム１は、指紋センサ１２により読み取った指紋画像から特徴点を抽出して、テンキー１３により入力したＩＤ番号とともに通信装置１６によりネットワーク４を通じて役所３へ送信する。役所３の指紋照合装置３１では、個人識別システム１になり代わって、住民票の登録時に登録した指紋の特徴点と照合処理を実施する。照合結果がＯＫの場合には、認証情報を個人識別システム１へ送信する。個人識別システム１のコントローラ１１は、役所３から送られてきた認証情報で登録個人データベース１４Ａの認証情報を更新する。
【００４９】
また、別システムで指紋情報を特に必要としない場合、一度認証処理がＯＫとなった時点で、登録した指紋情報を削除しても良い。
【００５０】
個人識別システム１では、役所３での登録指紋との照合結果がＯＫであれば、役所３で記録している認証情報を取得し、該登録指紋には住民票登録を行った実績があることがわかる。登録個人データベース１４Ａに、役所３での認証情報を記録しておく。以後、個人識別システム１で照合する場合、ＩＤ番号入力より、登録個人データベース１４Ａに役所３での認証が登録されていれば、図６に示すように、照合指標がレベル２の特別アクセス処理を行う。
【００５１】
上記例では、別システムで登録した指紋データを電話回線などの通信手段を用いて取得したが、別システムが発行するＩＣカードなどの電子媒体に記億させても良い。
【００５２】
すなわち、役所３での住民票登録時などの別システムでも登録した指紋とネットワーク４などを通じて指紋照合処理を行い、その別システムとの間で照合処理を行う。照合結果がＯＫであった場合、その照合指標のレベルに応じて、認証された人のアクセス権限を高くするなどのサービスを良くした、付加価値の高い個人識別システムを得る。照合指標のレベルを、認証するシステム（役所＞免許証更新所＞郵便局＞銀行など）に応じて決め、アクセス権限を変える。また、認証ＯＫであるシステムの数が多いほど、アクセス権限を高くする。
【００５３】
【発明の効果】
この発明に係る個人識別システムは、以上説明したとおり、照合結果の程度に応じてアクセス権限を変えることができるという効果を奏する。
【図面の簡単な説明】
【図１】この発明の実施の形態１に係る個人識別システムの構成を示す図である。
【図２】この発明の実施の形態１に係る個人識別システムの登録個人データベースの構成を示す図である。
【図３】この発明の実施の形態１に係る個人識別システムの照合指標テーブルの構成を示す図である。
【図４】この発明の実施の形態１に係る個人識別システムの動作を示すフローチャートである。
【図５】この発明の実施の形態２に係る個人識別システムと別システムが接続された構成を示す図である。
【図６】この発明の実施の形態２に係る個人識別システムの照合指標テーブルの構成を示す図である。
【図７】この発明の実施の形態２に係る個人識別システムの認証情報を示す図である。
【符号の説明】
１  個人識別システム、２  免許証更新所、３  役所、４  ネットワーク、１１  コントローラ、１２  指紋センサ、１３  テンキー、１４  登録個人データベース、１５、１５Ａ  照合指標テーブル、１６  通信装置、２１  指紋照合装置、２２  通信装置、２３  認証情報、３１  指紋照合装置、３２  通信装置、３３  認証情報。
【図１】
2005004253.tif 000003
【図２】
2005004253.tif 000004
【図３】
2005004253.tif 000005
【図４】
2005004253.tif 000006
【図５】
2005004253.tif 000007
【図６】
2005004253.tif 000008
【図７】
2005004253.tif 000009